【事件の表示】
　商願２００４−７９２６９拒絶査定不服審判事件について、次のとおり審決する。
【結　論】
　原査定を取り消す。
　本願商標は、登録すべきものとする。
【理　由】
１　本願商標
　本願商標は、別掲（１）のとおりの構成からなり、第９類及び第２８類に属する願書記載のとおりの商品を指定商品として、平成１６年８月２７日に登録出願され、その後、指定商品については、平成１７年４月１８日及び同１８年１２月１５日提出の手続補正書により、第９類「トランプのブラックジャックゲームを内容とする業務用コイン投入式テレビゲーム機，トランプのブラックジャックゲームを内容とする業務用磁気カード式テレビゲーム機，トランプのブラックジャックゲームを内容とする業務用テレビゲーム機の筐体，トランプのブラックジャックゲームを内容とする業務用テレビゲーム機のプログラムを記憶させた電子回路・光ディスク・磁気テープ・磁気ディスク・磁気カード・光磁気ディスク・ＣＤ−ＲＯＭ・ＲＯＭカートリッジ・ＤＶＤその他の記憶媒体及びダウンロード可能な業務用テレビゲーム機用プログラム，トランプのブラックジャックゲームを内容とする業務用テレビゲーム機の部品及び付属品，トランプのブラックジャックゲームを内容とするその他の業務用テレビゲーム機，レコード」及び第２８類「トランプのブラックジャックゲームを内容とする遊園地用機械器具（業務用テレビゲーム機を除く。）」に補正されたものである。
　
２　引用商標
　原審において本願の拒絶の理由に引用した商標は、以下の１０件である。
（１）登録第３３０５６２５号商標（以下「引用商標１」という。）
　別掲（２）のとおりの構成からなり、平成５年１１月２４日に登録出願、第１６類「ステッカー，シールその他文房具類（「昆虫採集用具」を除く。），印刷物」を指定商品として、平成９年５月１６日に設定登録されたものである。
（２）登録第３３５９３３５号商標（以下「引用商標２」という。）
　「ブラックジャック」の文字を横書きしてなり、平成７年１月１２日に登録出願、第９類「電気通信機械器具，電子応用機械器具及びその部品」を指定商品として、平成９年１１月１４日に設定登録されたものである。
（３）登録第４０７６３９２号商標（以下「引用商標３」という。）
　「ＢＬＡＣＫ　ＪＡＣＫ」の文字を横書きしてなり、平成７年９月２８日に登録出願、第１６類「雑誌，新聞」を指定商品として、平成９年１０月３１日に設定登録されたものである。
（４）登録第４０９５２９８号商標（以下「引用商標４」という。）
　やや図案化した「ブラック．ジャック」の文字を横書きしてなり、平成７年１２月２６日に登録出願、第１６類「ステッカー，シールその他文房具類（「昆虫採集用具」を除く。），雑誌，新聞」を指定商品として、平成９年１２月１９日に設定登録されたものである。
（５）登録第４０９９５８０号商標（以下「引用商標５」という。）
　引用商標４と同一の構成からなり、平成７年１２月２６日に登録出願、第９類「スライドフィルム用マウント，家庭用テレビゲームおもちゃ，家庭用テレビゲームおもちゃ用プログラムを記憶させた磁気ディスク及び磁気テープ，電子応用機械器具及びその部品」を指定商品として、平成１０年１月９日に設定登録されたものである。
（６）登録第４１２４１３１号商標（以下「引用商標６」という。）
　「ＢＬＡＣＫ　ＪＡＣＫ」の文字を横書きしてなり、平成７年９月２８日に登録出願、第９類「スライドフィルム用マウント」を指定商品として、平成１０年３月１３日に設定登録されたものである。
（７）登録第４１３４５０７号商標（以下「引用商標７」という。）
　引用商標１と同一の構成からなり、平成５年１１月２４日に登録出願、第９類「映写フィルム，スライドフィルム，スライドフィルム用マウント，録画済みビデオディスク及びビデオテープ」を指定商品として、平成１０年４月１０日に設定登録されたものである。
（８）登録第４３４４９６１号商標（以下「引用商標８」という。）
　「ＢＬＡＣＫ　ＪＡＣＫ　Ｈ．Ａ．」の文字を標準文字により表してなり、平成１０年１月２３日に登録出願、第９類「電池，写真機械器具，映画機械器具，光学機械器具，業務用テレビゲーム機，業務用テレビゲーム機のゲームプログラムを記憶させた電子回路・磁気テープ・磁気ディスク・光ディスク・ＲＯＭカートリッジ，遊園地用機械器具，自動販売機，両替機」を指定商品として、平成１１年１２月１７日に設定登録されたものである。
（９）登録第４７８４８７８号商標（以下「引用商標９」という。）
　別掲（３）のとおりの構成からなり、平成１５年１０月２９日に、登録出願第９類「スロットマシン」を指定商品として、平成１６年７月９日に設定登録されたものである。
（10）登録第４９３７９２９号商標（以下「引用商標１０」という。）
　「ＧＯＬＤＥＮＢＬＡＣＫＪＡＣＫ」及び「ゴールデンブラックジャック」の文字を上下二段に横書きしてなり、平成１６年１月７日に登録出願、第２８類「遊園地用器械器具（業務用テレビゲーム機を除く。）」を指定商品として平成１８年３月１７日に設定登録されたものである。
　
３　原査定の拒絶理由の要点
　本願商標は、引用商標１ないし１０と同一又は類似であって、その商標に係る指定商品と同一又は類似の商品について使用するものであるから、商標法第４条第１項第１１号に該当する。
　
４　当審の判断
　上記１のとおり、本願の指定商品は、減縮補正された結果、補正後の指定商品には、引用商標１ないし引用商標７及び引用商標９に係る指定商品と同一又は類似の商品が含まれないものとなったといえるから、引用商標１ないし引用商標７及び引用商標９を引用して本願商標が商標法第４条第１項第１１号に該当するとした拒絶の理由は、解消したものである。
　そこで、以下、本願商標と引用商標８及び引用商標１０との類否について検討する。
　本願商標は、別掲（１）のとおりの構成からなるところ、その構成中の「ＢＬＡＣＫＪＡＣＫ」の文字は、トランプ遊戯の一つで、手持ちのカードの合計が２１に最も近く、かつ２１を超えない者を勝ちとするゲームを指称する語として知られているものである。
　そして、本願の指定商品を取り扱う業界においては、ブラックジャック、バカラ、ポーカー等のゲームを内容とするゲーム機が多数取引されており、これらの商品には、そのゲームの内容を示すために、「ブラックジャック」、「ＢＬＡＣＫＪＡＣＫ」、「バカラ」、「ＢＡＣＣＡＲＡＴ」、「ポーカー」等の文字が普通に使用されている。
　かかる事情の下において、本願商標をその指定商品に使用した場合には、これに接する取引者、需要者は、その構成中の「ＢＬＡＣＫＪＡＣＫ」の文字部分は、単に商品の品質（内容）、機能等を表示したものとして認識し、把握するにとどまり、自他商品の識別標識としては、認識し得ないものと見るのが自然である。
　そうすると、本願商標は、他の構成部分である「ＳｈｕｆｆｌｅＢｒｏｓ．」の文字部分をとらえ、これより生ずる称呼をもって取引に資されるものといえるから、「シャッフルブロス」又は「シャッフルブロスブラックジャック」の称呼を生ずるというべきであり、「シャッフルブロス」を省略して、単に「ブラックジャック」のみの称呼を生ずることはないものと判断するのが相当である。
　他方、引用商標８は、その構成文字に相応して、「ブラックジャックエイチエイ」又は「ブラックジャックエッチエイ」の称呼を生ずるものである。また、引用商標１０は、「ゴールデンブラックジャック」の称呼を生ずるものである。
　したがって、本願商標から「ブラックジャック」の称呼をも生ずるとし、その上で、本願商標と引用商標８及び引用商標１０とが称呼上類似するものであるとして、本願商標が商標法第４条第１項第１１号に該当するとした原査定は、妥当なものでなく、取消しを免れない。
　その他、政令で定める期間内に本願について拒絶の理由を発見しない。
　よって、結論のとおり審決する。